(57)【要約】【課題】別体の部品を備えたり用意したりすることなく抜き取ることができるカードトレイを備えたカードコネクタおよびそのカードトレイを提供する。【解決手段】カードトレイ３０は、トレイハウジング３１と操作部材３２を備えている。操作部材３２は、軸支部３２１でトレイハウジング３１に軸支されている。操作部材３２は、押込部３２２とつまみ部３２３を備えている。押込部３２２を押し込むと、つまみ部３２３が突き出る。そのつまみ部３２３を手がかりにしてカードトレイ３０を引き抜く。【選択図】図２
2016134358.tif 000002
【特許請求の範囲】
【請求項１】
カードが載置されコネクタ本体に差し込まれるカードトレイであって、
カードが載置されるカード載置部が設けられたトレイハウジングと、
前記コネクタ本体からの取出しの向きの前端部に配置され左右方向に延びて途中が回動自在に前記トレイハウジングに軸支され、左右方向の一方に、取出しにあたり押し込まれる押込部を有するとともに、左右方向の他方に、該押込部を押し込んだときに突き出て該カードトレイ引き抜きのつまみとなるつまみ部を有する操作部材とを備えたことを特徴とするカードトレイ。
【請求項２】
前記操作部材が、左右方向の前記押込部寄りの位置で前記トレイハウジングに軸支されていることを特徴とする請求項１に記載のカードトレイ。
【請求項３】
前記操作部材の前記押込部を前記取出しの向きに付勢する部材を備えたことを特徴とする請求項１または２に記載のカードトレイ。
【請求項４】
前記操作部材の前記つまみ部を押し込んだ状態に解除自在に維持する構造を備えたことを特徴とする請求項１から３のうちいずれか１項に記載のカードトレイ。
【請求項５】
前記操作部材が、当該カードコネクタが搭載される機器の筐体外面の一部となる前面を有することを特徴とする請求項１から４のうちいずれか１項に記載のカードトレイ。
【請求項６】
前記つまみ部が、前記押込部を押し込んだときに前記機器外面から露出する位置に、該カードトレイ取出し用の凹部を有することを特徴とする請求項５に記載のカードトレイ。
【請求項７】
請求項１から６のうちいずれか１項に記載のカードトレイと、
前記カードトレイを受容する受容部を有するコネクタ本体とを備えたことを特徴とするカードコネクタ。
【発明の詳細な説明】
【技術分野】
【０００１】
本発明は、カードを載せたカードトレイ、および、そのカードコネクタを備えたカードコネクタに関する。
【背景技術】
【０００２】
メモリカードやＳＩＭカード等のカードをカードトレイに載せ、そのカードトレイを差し込むタイプのカードコネクタが広く普及している。このタイプのカードコネクタは、コネクタ本体が携帯電話器等の機器内に搭載される。そうして、カードを載せたカードトレイが、機器筐体に設けられた開口から差し込まれて、コネクタ本体内に受容される。
【０００３】
この受容された状態では、カードトレイの前面は機器筐体の外面の一部を成している。このタイプのカードコネクタの中には、受容されたカードトレイの前面に、機器筐体の内外に通じる小さな開口が形成されているタイプがある。コネクタ本体に受容されているカードトレイを抜き取るにあたっては、そのカードコネクタとは別体のイジェクトピンをその開口に差し込む。すると、コネクタ本体内のイジェクト機構によってカードトレイが押し出される。
【０００４】
このカードコネクタの場合、カードトレイを取り出すには別体のイジェクトピンが必要となる。このため、このイジェクトピンが手元にないとカードトレイを取り出すことができないという問題がある。
【０００５】
特許文献１には、カード保持部およびつまみ部を有するカード収容用トレイを具備するカードコネクタが開示されている。つまみ部はカード保持部から離れる向きに付勢されている。このカードコネクタが搭載される機器筐体の、カード収納用トレイが差し込まれる開口にはキャップが差し込まれる。そして、そのキャップにより、つまみ部が奥向きに押し込まれる。キャップを外すと、つまみ部が開口から突出し、そのつまみ部をつまんでカード収納用トレイを抜き取ることができる。
【０００６】
この特許文献１に開示された技術によれば、イジェクトピンのような別体の治具がなくてもカードトレイを抜き取ることができる。しかしながら、この特許文献１に開示された技術の場合、イジェクトピンは不要である代わりに、キャップが必要となる。
【先行技術文献】
【特許文献】
【０００７】
【特許文献１】特開２０１４−５６５５１号公報
【発明の概要】
【発明が解決しようとする課題】
【０００８】
本発明は、別体の部品を備えたり用意したりすることなくカードトレイを抜き取ることができるカードコネクタおよびそのカードトレイを提供することを目的とする。
【課題を解決するための手段】
【０００９】
上記目的を達成する本発明のカードトレイは、カードが載置されコネクタ本体に差し込まれるカードトレイであって、
カードが載置されるカード載置部が設けられたトレイハウジングと、
コネクタ本体からの取出しの向きの前端部に配置され左右方向に延びて途中が回動自在にトレイハウジングに軸支され、左右方向の一方に、取出しにあたり押し込まれる押込部を有するとともに、左右方向の他方に、押込部を押し込んだときに突き出てカードトレイ引き抜きのつまみとなるつまみ部を有する操作部材とを備えたことを特徴とする。
【００１０】
本発明のカードトレイは、回動自在に軸支されて、押込部とつまみ部が形成された操作部材を備えている。そして、押込部を押し込むとつまみ部が突き出る。そのつまみ部を手がかりにして抜き取ることができる。したがって、本発明のカードトレイによれば、別体の部品を備えたり用意したりすることなく、抜き取ることができる。
【００１１】
ここで、本発明のカードトレイにおいて、上記操作部材が、左右方向の押込部寄りの位置でトレイハウジングに軸支されていることが好ましい。
【００１２】
この場合、押込部の押込み量よりもつまみ部の突出量が大きくなる。つまり、押込部を少し押し込むだけで、つまみ部を大きく突き出させることができ、抜取りの操作性が向上する。
【００１３】
また、本発明のカードトレイにおいて、操作部材の押込部を取出しの向きに付勢する部材を備えることが好ましい。
【００１４】
この場合、外力が加えられていない状態では、操作部材は、つまみ部が奥向きに押し込まれた姿勢に維持される。
【００１５】
また、本発明のカードトレイにおいて、操作部材のつまみ部を押し込んだ状態に解除自在に維持する構造を備えることも好ましい形態である。
【００１６】
この形態の場合、つまみ部を押し込んだ状態が維持される。
【００１７】
さらに、本発明のカードトレイにおいて、操作部材が、コネクタ本体が搭載される機器の筐体外面の一部となる前面を有することが好ましい。
【００１８】
操作部材の前面が、機器筐体外面の一部を成すことにより、意匠上優れた機器外観となる。
【００１９】
ここで、操作部材の前面が機器筐体外面の一部を成すにあたり、つまみ部が、押込部を押し込んだときに機器外面から露出する位置に、取出し用の凹部を有することが好ましい。
【００２０】
つまみ部を手がかりにして抜き取るにあたり、この凹部を利用することで、抜取りが一層容易となる。
【００２１】
また、上記目的を達成する本発明のカードコネクタは、本発明のいずれかの態様のカードトレイと、そのカードトレイを受容する受容部を有するコネクタ本体とを備えたことを特徴とする。
【発明の効果】
【００２２】
以上の本発明によれば、別体の部品を備えたり用意したりすることなく、カードトレイを抜き取ることができる。
【図面の簡単な説明】
【００２３】
【図１】本発明の第１実施形態としてのカードコネクタの平面図である。
【図２】カードトレイを示した図である。
【図３】機器に差し込まれた状態のカードコネクタを示した斜視図である。
【図４】カードトレイの取出しの手順を示した図である。
【図５】第２実施形態のカードトレイの平面図である。
【図６】第３実施形態のカードトレイの平面図である。
【図７】第４実施形態のカードトレイの平面図である。
【発明を実施するための形態】
【００２４】
以下、本発明の実施の形態を説明する。
【００２５】
図１は、本発明の第１実施形態としてのカードコネクタの平面図である。
【００２６】
このカードコネクタ１０は、コネクタ本体２０とカードトレイ３０とを有する。
【００２７】
コネクタ本体２０は、金属シェル２１と、その金属シェル２１に覆われた不図示の本体ハウジングとを有する。そして、それら金属シェル２１と本体ハウジングとの間にはカードトレイ３０を受容する受容部２０Ａが形成されている。本体ハウジングには不図示のコンタクトが配置されている。このコネクタ本体２０は、機器筐体９０（図３参照）の内部に備えられた回路基板（不図示）に搭載されている。
【００２８】
図２は、図１に示すカードコネクタを構成しているカードトレイを示した図である。ここで、図２（Ａ）は平面図、図２（Ｂ）は斜視図、図２（Ｃ）は、押込部が押し込まれた状態の斜視図である。
【００２９】
以下、図１とともに図２を参照しながら、カードトレイ３０について説明する。
【００３０】
カードトレイ３０は、トレイハウジング３１と操作部材３２とを備えている。
【００３１】
トレイハウジング３１には、ＳＩＭカード４０が載置されるカード載置部３１１が設けられている。このカード載置部３１１には、載置されたＳＩＭカード４０の下面の広い領域を下方に開放する広い開口３１１ａが形成されている。そして、その広い開口３１１ａの両側に、ＳＩＭカード４０を載せる載置台３１１ｂが設けられている。
【００３２】
ＳＩＭカード４０は、その両側部が載置台３１１ｂに載置され、下面の広い領域を露出させている。そのＳＩＭカード４０の下面の露出した領域には、電気的な接続を担うパッド（不図示）が形成されている。
【００３３】
このＳＩＭカード４０を載置したカードトレイ３０が矢印Ｉで示す差込みの向きに差し込まれて、コネクタ本体２０の受容部２０Ａに受容される。すると、ＳＩＭカード４０のパッドとコネクタ本体のコンタクト（不図示）とが接触する。コネクタ本体２０のコンタクトは、コネクタ本体２０が搭載されている回路基板に接続されている。このため、ＳＩＭカード４０は、コネクタ本体２０に受容されて、回路基板との間でコンタクトを介して信号の伝送を行なうことができる。
【００３４】
また、このトレイハウジング３１の矢印Ｉで示す差込みの向きの後端側には、Ｏリング３１２ａを備えた防水部３１２が設けられている。このトレイハウジング３１のさらに後端には、操作部材３２に対面する立壁部３１３と、その立壁部３１３から操作部材３２の下に広がって操作部材３２を支持する支持台３１４（図２（Ｃ）参照）が設けられている。立壁部３１３には、図２の右側端部に、矢印Ｉの向きに削られた形状の斜面部３１３ａ（図２（Ｂ）参照）が形成されている。また、この立壁部３１３は、図２の左側の部分に、操作部材３２の左側の端部が突き当てられる突当部３１３ｂを有する。
【００３５】
操作部材３２は、横に延びた形状を有し、トレイハウジング３１の支持台３１４の上に載るようにトレイハウジング３１に支持されている。そして、この操作部材３２は、その横に延びる途中の部分であって、一方（図１の右側）に寄った軸支部３２１でトレイハウジング３１の支持台３１４に回動自在に支持されている。ここでは、この操作部材３２の、軸支部３２１よりも図１の右側の部分および左側の部分を、それぞれ、押込部３２２およびつまみ部３２３と称する。
【００３６】
この軸支部３２１にはトーションばね３３が備えられている。このトーションばね３３は、図２（Ａ）に示すように、立壁部３１３の斜面部３１３ａを支えにして、押込部３２２を取出しの向き（矢印Ｒの向き）に付勢している。
【００３７】
コネクタ本体２０が搭載される機器の筐体９０の外面９２には、図３に示すように、カードトレイ３０の差込み用の差込口９１が形成されている。カードトレイ３０は、その差込口９１に差し込まれてコネクタ本体２０に受容される。この受容された状態において、防水部３１２や操作部材３２は、筐体９０の差込口９１の内部に配置される。そして、防水部３１２により、筐体９０の内部が水密に保たれる。また、この受容された状態において、操作部材３２の、矢印Ｒで示す取出しの向きの前面３２４が機器筐体９０の外面９２と同一面となる。すなわち、操作部材３２の前面３２４が、機器筐体９０の外面９２の一部となる。このことが、機器筐体９０の優れた意匠に貢献している。
【００３８】
コネクタ本体２０に受容された状態のカードトレイ３０をコネクタ本体２０から抜き取るにあたっては、操作部材３２の押込部３２２が押し込まれる。立壁部３１３に斜面部３１３ａが形成されていることで、押し込まれたときの押込部３２２の移動空間が形成されている。押込部３２２が押し込まれると、つまみ部３２３が筐体９０から突き出た状態となる（図２（Ｃ）および図４（Ｂ）参照）。これにより、つまみ部３２３を手がかりにしてカードトレイ３０を抜き取ることができる。
【００３９】
ここで、つまみ部３２３は、その表面から少し奥まった位置に、一段下がった凹部３２３ａを有する。このため、この凹部３２３ａにより形成されるつまみ部３２３の縁３２３ｂに指の爪を掛けて容易に引き抜くことができる。この凹部３２３ａは、押込部３２２を押し込んだときに機器筐体９０の外面９２から露出する。
【００４０】
押込部３２２の押込みを止めると、トーションばね３３の作用により押込部３２２が取出しの向き（矢印Ｒの向き）に回動する。これとともに、つまみ部３２３が差込みの向き（矢印Ｉの向き）に回動して、図２（Ｂ）に示す状態となる。
【００４１】
図３は、機器に差し込まれた状態のカードコネクタを示した斜視図である。
【００４２】
ここでは、機器５０は、機器筐体９０のみ図示されていて、かつ、その内部が見えるように上半分を取り去った状態が示されている。また、カードコネクタについても、コネクタ本体については図示せずに、カードトレイ３０のみ示されている。
【００４３】
カードトレイ３０は、この図３に示すように、操作部材３２の前面３２４が機器５０の筐体９０の外面９２と同一面となるまで差し込まれる。
【００４４】
図４は、機器に差し込まれている状態のカードトレイの取出しの手順を示した図である。
【００４５】
図４（Ａ）は、図３と同様、カードトレイ３０が機器筐体９０に差し込まれている状態を示している。
【００４６】
図４（Ａ）の状態にあるカードトレイ３０の操作部材３２の押込部３２２を押し込む。すると、つまみ部３２３が筐体９０から突き出た状態となる（図４（Ｂ））。
【００４７】
そこで、そのつまみ部３２３に例えば指の爪を掛けて、カードトレイ３０を引き出す（図４（Ｃ））。
【００４８】
その後、つまみ部３２３を一旦離すと、図４（Ｄ）に示した状態となる。そこで、今度は、カードトレイ３０の、筐体９０から引き出された部分を指でつまんで引き抜く。こうすることにより、カードトレイ３０を機器５０（図３参照）から取り出すことができる。
【００４９】
カードトレイ３０を差し込むときは、押込部３２２のみを押すのではなく、操作部材３２の前面３２４の全体を指で押し込む。すると、カードトレイ３０は、図４（Ｄ）に示した状態を経由して、図４（Ａ）に示した状態にまで差し込まれる。
【００５０】
次に、本発明の第２実施形態以降の各実施形態について説明する。
【００５１】
コネクタ本体については、上述の第１実施形態と変わるとところはなく、図示および説明は省略する。また、カードトレイについても、上述の第１実施形態と共通の符号を付し、相違点のみ説明する。
【００５２】
図５は、第２実施形態のカードトレイの平面図である。ここで、図５（Ａ）は、操作部材３２の押込部３２２が押されていない状態の平面図である。また、図５（Ｂ）は、操作部材３２の押込部３２２が押し込まれている状態の平面図である。
【００５３】
この図５に示す第２実施形態のカードトレイ３０には、前述の第１実施形態に備えられているトーションばね３３に代えて、板ばね３４が備えられている。それに伴い、トレイハウジング３１に設けられている立壁部３１３には、前述の第１実施形態における斜面部３１３ａに代わり、窪み部３１３ｃが設けられている。
【００５４】
この図５に示す第２実施形態のように、押込部３２２を板ばね３４で付勢してもよい。
【００５５】
図６は、第３実施形態のカードトレイの平面図である。ここで、図６（Ａ）は、図５（Ａ）と同様、操作部材３２の押込部３２２が押されていない状態の平面図である。また、図６（Ｂ）は、図５（Ｂ）と同様、操作部材３２の押込部３２２が押し込まれている状態の平面図である。
【００５６】
この図６に示す第３実施形態のカードトレイ３０には、操作部材３２の押込部３２２側には、トーションばね３３や板ばね３４などの付勢部材は備えられていない。この第３実施形態のカードトレイ３０には、付勢部材に代わり、トレイハウジング３１の立壁部３１３の突出部３１３ｂに、マグネット３５が固定されている。また、操作部材３２のつまみ部３２３の、そのマグネット３５に対面する位置に磁性板３６が固定されている。
【００５７】
操作部材３２が図６（Ａ）示す姿勢にあるときには、磁性板３６がマグネット３５に吸着し、その姿勢が保たれる。操作部材３２の押込部３２２が押し込まれると、磁性板３６がマグネット３５から離れ、図６（Ｂ）に示す姿勢となる。
【００５８】
この第３実施形態のカードトレイ３０の場合、押込部３２２の押込みを止めても、図６（Ａ）の姿勢には自動的には戻らずに、図６（Ｂ）の姿勢に留まる。つまみ部３２３を押すと、図６（Ａ）の姿勢に戻る。図６（Ａ）の姿勢にあるときは、磁性板３６がマグネット３５に吸着しているため、その姿勢が維持される。このように、つまみ部３２３を押し込んだ状態に解除自在に維持する構造を備えていてもよい。
【００５９】
この第３実施形態のカードトレイ３０の場合、姿勢を維持するための構造を、磁力を使うことで実現している。ただし、磁力に代わり、例えば、立壁部３１３とつまみ部３２３とが解除自在に互いに機械的に係止される構造などを備えてもよい。
【００６０】
また、押込部３２２から指を離したときに図６（Ｂ）に示す姿勢に自動的に戻すために、押込部３２２を付勢する構造と組み合わせてもよい。
【００６１】
図７は、第４実施形態のカードトレイの平面図である。ここで、図７（Ａ）は、操作部材３２の押込部３２２が押されていない状態の平面図である。また、図７（Ｂ）は、操作部材３２の押込部３２２が押し込まれている状態の平面図である。
【００６２】
この図７に示すカードトレイ３０には、前述の第１実施形態と同様、トーションばね３３が備えられている。図７に示すカードトレイ３０の、前述の第１実施形態との相違点は、押込部３２２に、前面３２４から突き出た突起３２５が形成されている点である。操作部材３２の前面３２４が一様な平面の場合、左右のいずれが押込部３２２か分からず、つまみ部３２３側を押し込もうとする誤操作を生じるおそれがある。この突起３２５を設けておくと、押込部３２２の位置が明確となり、誤操作による操作性の悪さの印象が払拭される。
【００６３】
なお、ここでは、操作部材３２の右側に押込部３２２、左側につまみ部３２３を設けた例について説明したが、これらを左右逆の位置に設けてもよい。ただし、左右いずれに設けた場合であっても、つまみ部３２３を大きく突き出させるために、軸支部３２１を押込部３２２側に寄せた位置に設けたほうが有利である。
【符号の説明】
【００６４】
１０      カードコネクタ
２０      コネクタ本体
２０Ａ    受容部
２１      金属シェル
３０      カードトレイ
３１      トレイハウジング
３２      操作部材
３３      トーションばね
３４      板ばね
３５      マグネット
３６      磁性板
４０      ＳＩＭカード
５０      機器
９０      機器筐体
９１      差込口
９２      機器筐体の外面
３１１    カード載置部
３１２    防水部
３１３    立壁部
３１３ａ  斜面部
３１３ｂ  突当部
３２１    軸支部
３２２    押込部
３２３    つまみ部
３２３ａ  凹部
３２４    支持台
３２５    突起
【図１】
2016134358.tif 000003
【図２】
2016134358.tif 000004
【図３】
2016134358.tif 000005
【図４】
2016134358.tif 000006
【図５】
2016134358.tif 000007
【図６】
2016134358.tif 000008
【図７】
2016134358.tif 000009